(57)【要約】      （修正有）【課題】プリント回路基板上に取り付けるために、角型の同軸ケーブル用電気コネクタ（１２）を提供する。【解決手段】電気コネクタは、それぞれが肘（３６）で接合された第一および第二の脚（３２、３４）を有する少なくとも一対の角型の同軸導体（２８、３０）を有している。各第一の脚（３２）の先端（３２ａ）は、各導体のコンタクト端を規定する。各第二の脚（３４）の先端（３４ａ）は、プリント回路基板に取り付けられる終端を規定する。誘電性シース（２６）は、同軸導体の先端を露出させて、各角型の同軸導体の回りに配置される。管状の導電性シールド（１４、３８）は、各誘電性シースの回りに設けられる。接地手段（１８、６０）は、シールドをプリント回路基板に接合させる。一体の誘電性ハウジング（１６）は、コネクタをモジュール内で保持するためにシールド（１４、３８）の少なくとも一部分（３８）の回りに配置される。【選択図】図７
0003114071.tif 000002
【実用新案登録請求の範囲】
【請求項１】
それぞれが肘（３６）で接合された第一および第二の脚（３２、３４）を有する少なくとも一対の略直角型の同軸導体（２８、３０）であって、各第一の脚（３２）の先端（３２ａ）が各同軸導体（２８、３０）のコンタクト端を規定し、各第二の脚（３４）の先端（３４ａ）がプリント回路基板に取り付けられる終端を規定する少なくとも一対の略直角型の同軸導体（２８、３０）と、
前記略直角型の同軸導体（２８、３０）の先端（３２ａ、３４ａ）を露出させて、各略直角型の同軸導体（２８、３０）の回りに位置する誘電性シース（２６）と、
各誘電性シース（２６）の回りに位置する管状の導電性シールド（１４、３８）と、
管状の導電性シールド（１４、３８）をプリント回路基板に接合させる接地手段（１８、６０）と、
コネクタをモジュール内で保持するために、管状の導電性シールド（１４、３８）の少なくとも一部分の回りに配置される一体の誘電性のハウジング（１６）で構成されるプリント回路基板に取り付けられる略直角型の同軸ケーブル用電気コネクタ（１２）において、
前記管状の導電性シールド（１４、３８）は、第二の脚（３４）の先端（３４ａ）を露出させて各同軸導体（２８、３０）の第二の脚（３４）および肘（３６）の回りに位置する軸線方向に分割された後側の管状の導電性シールド（３８）と、第一の脚の先端（３２ａ）を露出させて各同軸導体（２８、３０）の第一の脚（３２）の回りに位置する円周方向に連続した前側の管状の導電性シールド（１４）で構成されていることを特徴とする略直角型の同軸ケーブル用電気コネクタ。
【請求項２】
略直角型の同軸導体（２８、３０）の回りに、前記誘電性シース（２６）を管状にオーバモールドすることを特徴とする請求項１に記載の同軸ケーブル用電気コネクタ。
【請求項３】
前記管状の導電性シールド（１４、３８）は、断面が略円筒状であることを特徴とする請求項１に記載の同軸ケーブル用電気コネクタ。
【請求項４】
前記管状の導電性シールド（１４、３８）はそれぞれ、第二の脚（３４）の先端（３４ａ）を露出させて各同軸導体（２８、３０）の第二の脚（３４）および肘（３６）の回りに位置する軸線方向に分割されたＬ字状の後側の管状の導電性シールド（３８）を有することを特徴とする請求項１に記載の同軸ケーブル用電気コネクタ。
【請求項５】
各管状の導電性シールド（１４、３８）の前記円周方向に連続した前側の管状の導電性シールド（１４）は、軸線方向に分割された後側の管状の導電性シールド（３８）の近接端（４２）を包囲する端部（４６）を有し、前記軸線方向に分割された後側の管状の導電性シールド（３８）を共に保持することを特徴とする請求項１に記載の同軸ケーブル用電気コネクタ。
【請求項６】
前記接地手段は、プリント回路基板に取り付けられる少なくとも一本のテール部（２２、２４）を有する少なくとも一つの接地クリップ（１８、６０）から成ることを特徴とする請求項１に記載の同軸ケーブル用電気コネクタ。
【請求項７】
前記接地クリップ（１８）は、両方の同軸導体（２８、３０）の前側の管状の導電性シールド（１４）を包囲する本体部（２０）を有することを特徴とする請求項６に記載の同軸ケーブル用電気コネクタ。
【請求項８】
各前側の管状の導電性シールド（１４）を包囲する一方の前記接地クリップ（１８）を有することを特徴とする請求項６に記載の同軸ケーブル用電気コネクタ。
【請求項９】
前記ハウジング（１６）は、管状の導電性シールド（１４、３８）の少なくとも一部分の回りにオーバモールドされるプラスチック製の一体構造から成ることを特徴とする請求項１に記載の同軸ケーブル用電気コネクタ。
【請求項１０】
それぞれが肘（３６）で接合された第一および第二の脚（３２、３４）を有する少なくとも一対の略直角型の同軸導体（２８、３０）であって、各第一の脚（３２）の先端（３２ａ）が各同軸導体（２８、３０）のコンタクト端を規定し、各第二の脚（３４）の先端（３４ａ）がプリント回路基板に取り付けられる終端を規定する少なくとも一対の略直角型の同軸導体（２８、３０）と、
前記略直角型の同軸導体（２８、３０）の先端（３２ａ、３４ａ）を露出させて、各略直角型の同軸導体（２８、３０）の回りに管状に設けられる誘電性シース（２６）と、
各誘電性シース（２６）の回りの管状の導電性シールド（１４、３８）であって、それぞれが第二の脚（３４）の先端（３４ａ）を露出させて各同軸導体（２８、３０）の第二の脚（３４）および肘（３６）の回りに位置する軸線方向に分割されたＬ字状の後側の管状の導電性シールド（３８）と、第一の脚（３２）の先端（３２ａ）を露出させて第一の脚（３２）の回りに位置する円周方向に連続した前側の管状の導電性シールド（１４）を有し、該円周方向に連続した前側の管状の導電性シールド（１４）が、軸線方向に分割された後側の管状の導電性シールド（３８）を共に保持するために軸線方向に分割された後側の管状の導電性シールド（３８）の近接端（４２）を包囲する端部（４６）を有する管状の導電性シールド（１４、３８）と、
プリント回路基板に取り付けられる少なくとも一本のテール部（２２、２４）を有する少なくとも一つの接地クリップ（１８、６０）と、
コネクタをモジュール内で保持するために、管状の導電性シールド（１４、３８）の少なくとも後側の管状の導電性シールド（３８）の回りにオーバモールドされるプラスチック製の一体のハウジング（１６）で構成されるプリント回路基板に取り付けられる略直角型の同軸ケーブル用電気コネクタ（１２）。
【請求項１１】
前記管状の導電性シールド（１４、３８）は、断面が略円筒状であることを特徴とする請求項１０に記載の同軸ケーブル用電気コネクタ。
【請求項１２】
各前側の管状の導電性シールド（１４）を包囲する一方の前記接地クリップ（１８）を有することを特徴とする請求項１０に記載の同軸ケーブル用電気コネクタ。
【請求項１３】
前記接地クリップ（１８）は、両方の同軸導体（２８、３０）の前側の管状の導電性シールド（１４）を包囲する本体部（２０）を有することを特徴とする請求項１０に記載の同軸ケーブル用電気コネクタ。
【請求項１４】
それぞれが肘（３６）で接合された第一および第二の脚（３２、３４）を有する少なくとも一対の略直角型の同軸導体（２８、３０）であって、各第一の脚（３２）の先端（３２ａ）が各同軸導体（２８、３０）のコンタクト端を規定し、各第二の脚（３４）の先端（３４ａ）がプリント回路基板に取り付けられる終端を規定する少なくとも一対の略直角型の同軸導体（２８、３０）と、
前記略直角型の同軸導体（２８、３０）の先端（３２ａ、３４ａ）を露出させて、各略直角型の同軸導体（２８、３０）の回りに位置する誘電性シース（２６）と、
各誘電性シース（２６）の回りに位置する管状の導電性シールド（１４、３８）と、
コネクタをモジュール内で保持するために、管状の導電性シールド（１４、３８）の少なくとも後側の管状の導電性シールド（３８）の回りに配置される一体の誘電性のハウジング（１６）で構成されるプリント回路基板に取り付けられる略直角型の同軸ケーブル用電気コネクタ（１２）において、
前記管状の導電性シールド（１４、３８）はそれぞれ、第二の脚（３４）の先端（３４ａ）を露出させて各同軸導体（２８、３０）の第二の脚（３４）および肘（３６）の回りに位置する軸線方向に分割された後側の管状の導電性シールド（３８）と、第一の脚（３２）の先端（３２ａ）を露出させて各同軸導体（２８、３０）の第一の脚（３２）の回りに位置する円周方向に連続した前側の管状の導電性シールド（１４）を有し、前記円周方向に連続した各前側の管状の導電性シールド（１４）は、軸線方向に分割された後側の管状の導電性シールド（３８）を共に保持するために、軸線方向に分割された後側の管状の導電性シールド（３８）の近接端（４２）を包囲する端部（４６）を有することを特徴とする略直角型の同軸ケーブル用電気コネクタ。
【請求項１５】
略直角型の同軸導体（２８、３０）の回りに、前記誘電性シース（２６）を管状にオーバモールドすることを特徴とする請求項１４に記載の同軸ケーブル用電気コネクタ。
【請求項１６】
前記管状の導電性シールド（１４、３８）はそれぞれ、第二の脚（３４）の先端（３４ａ）を露出させて各同軸導体（２８、３０）の第二の脚（３４）および肘（３６）の回りに位置する軸線方向に分割されたＬ字状の後側の管状の導電性シールド（３８）を有することを特徴とする請求項１４に記載の同軸ケーブル用電気コネクタ。
【請求項１７】
前記同軸ケーブル用電気コネクタ（１２）は、プリント回路基板に取り付けられる少なくとも一本のテール部（２２、２４）を有する少なくとも一つの接地クリップ（１８、６０）から成る接地手段を有することを特徴とする請求項１４に記載の同軸ケーブル用電気コネクタ。
【請求項１８】
前記接地クリップ（１８）は、両方の同軸導体（２８、３０）の前側の管状の導電性シールド（１４）を包囲する本体部（２０）を有することを特徴とする請求項１７に記載の同軸ケーブル用電気コネクタ。
【請求項１９】
各前側の管状の導電性シールド（１４）を包囲する一方の前記接地クリップ（１８）を有することを特徴とする請求項１８に記載の同軸ケーブル用電気コネクタ。
【請求項２０】
前記ハウジング（１６）は、管状の導電性シールド（１４、３８）の少なくとも一部分の回りにオーバモールドされるプラスチック製の一体構造から成ることを特徴とする請求項１４に記載の同軸ケーブル用電気コネクタ。
【請求項２１】
それぞれが肘（３６）で接合された第一および第二の脚（３２、３４）を有する少なくとも一対の略直角型の同軸導体（２８、３０）であって、各第一の脚（３２）の先端（３２ａ）が各同軸導体（２８、３０）のコンタクト端を規定し、各第二の脚（３４）の先端（３４ａ）がプリント回路基板に取り付けられる終端を規定する少なくとも一対の略直角型の同軸導体（２８、３０）と、
前記略直角型の同軸導体（２８、３０）の先端（３２ａ、３４ａ）を露出させて、各略直角型の同軸導体（２８、３０）の回りに位置する誘電性シース（２６）と、
各誘電性シース（２６）の回りに位置する管状の導電性シールド（１４、３８）と、
管状の導電性シールド（１４、３８）をプリント回路基板に接合させる接地手段（１８、６０）で構成されるプリント回路基板に取り付けられる略直角型の同軸ケーブル用電気コネクタ（１２）において、
前記管状の導電性シールド（１４、３８）はそれぞれ、第二の脚（３４）の先端（３４ａ）を露出させて各同軸導体（２８、３０）の第二の脚（３４）および肘（３６）の回りに位置する軸線方向に分割された後側の管状の導電性シールド（３８）と、第一の脚（３２）の先端（３２ａ）を露出させて各同軸導体（２８、３０）の第一の脚（３２）の回りに位置する円周方向に連続した前側の管状の導電性シールド（１４）を有し、前記円周方向に連続した各前側の管状の導電性シールド（１４）は、軸線方向に分割された後側の管状の導電性シールド（３８）を共に保持するために、軸線方向に分割された後側の管状の導電性シールド（３８）の近接端（４２）を包囲する端部（４６）を有することを特徴とする略直角型の同軸ケーブル用電気コネクタ。
【請求項２２】
略直角型の同軸導体（２８、３０）の回りに、前記誘電性シース（２６）を管状にオーバモールドすることを特徴とする請求項２１に記載の同軸ケーブル用電気コネクタ。
【請求項２３】
前記管状の導電性シールド（１４、３８）は、断面が略円筒状であることを特徴とする請求項２１に記載の同軸ケーブル用電気コネクタ。
【請求項２４】
前記管状の導電性シールド（１４、３８）はそれぞれ、第二の脚（３４）の先端（３４ａ）を露出させて各同軸導体（２８、３０）の第二の脚（３４）および肘（３６）の回りに位置する軸線方向に分割されたＬ字状の後側の管状の導電性シールド（３８）を有することを特徴とする請求項２１に記載の同軸ケーブル用電気コネクタ。
【考案の詳細な説明】
【技術分野】
【０００１】
この考案は、電気コネクタの技術に関するもので、特にプリント回路基板上に取り付けられる略直角型の同軸ケーブル用電気コネクタに関するものである。
【背景技術】
【０００２】
同軸ケーブル用ＲＦ電気コネクタ等の高周波コネクタにおいて、電磁波干渉（ＥＭＩ）または無線周波干渉の出入りから電気コネクタの導体を電気的にシールドすることが特に重要なことである。また、二つの近接した導体によって伝送される信号間のいかなるクロストークも防止することが重要なことである。従って、一般に同軸ケーブル用電気コネクタは、導体の回りに幾つかの形状の複雑なシールド装置を有している。
【０００３】
一つの形式の同軸ケーブル用電気コネクタは、それぞれが肘で接合された略垂直な脚を有する少なくとも二本の導体を有している略直角型の電気コネクタである。このような電気コネクタは、互いに対して角度を成して配置される電気部材を相互接合させるものである。例えば、略直角型の同軸ケーブル用電気コネクタは、第一のプリント回路基板を第二のプリント回路基板に対して垂直に整列させて相互接合させる構成とすることができる。プリント回路基板技術において、複式の同軸ケーブル用雄型コネクタ、特に略直角型の同軸ケーブル用電気コネクタ等の同軸ケーブル用電気コネクタは高い充填密度で使用されている。従って、導体の適当なシールドは、このような高密度環境においてどうしても必要なものである。従来は、一般に、同軸ケーブル用コネクタの絶縁性の同軸導体は、電気コネクタの全ての導体を包囲する略一体のシールドハウジングによって包囲されている。これらのシールドハウジングは、比較的大きくて重く、複雑で扱いにくく、費用のかかるものである。
【考案の開示】
【考案が解決しようとする課題】
【０００４】
本考案は、各絶縁性導体が容易に個々にシールドされ、簡単なオーバモールド式の誘電性のハウジングによって装置がモジュール化される単純で効率的な略直角型の同軸ケーブル用電気コネクタを提供するものである。
【０００５】
従って、本考案の目的は、新規であり改良されたプリント回路基板搭載用の略直角型の同軸ケーブル用電気コネクタを提供することにある。
【課題を解決するための手段】
【０００６】
本考案の略直角型の同軸ケーブル用電気コネクタは、それぞれが肘で接合された第一および第二の脚を有する少なくとも一対の略直角型の同軸導体を有している。各同軸導体の第一の脚の先端は、コンタクト端を規定している。各同軸導体の第二の脚の先端は、プリント回路基板上に取り付けられる終端を規定している。誘電性シースは、同軸導体の先端を露出させて各略直角型の同軸導体の回りに配置される。管状の導電性シールドは、各誘電性シースの回りに配置される。管状の導電性シールドをプリント回路基板に接合させるために接地手段が設けられている。一体の誘電性のハウジングは、同軸ケーブル用電気コネクタをモジュール内で保持するために管状の導電性シールドの少なくとも一部分に配置される。
【０００７】
上述したように、誘電性シースは、略直角型の同軸導体の回りに管状にオーバモールドされる。誘電性のハウジングは、管状の導電性シールドの少なくとも一部分の回りにオーバモールドされるプラスチック製の一体構造である。接地手段は、プリント回路基板に取り付けられる少なくとも一本のテール部を有する少なくとも一つの接地クリップから成る。一つの形式の接地クリップは、両方の同軸導体の管状の導電性シールドを包囲する本体部を有している。また、それぞれが個々の管状の導電性シールドを包囲するために個々の接地クリップを設ける構成とすることもできる。
【０００８】
そして、略直角型の同軸導体のそれぞれ一本の回りの各管状の導電性シールドは、第二の脚の先端を露出させて各同軸導体の第二の脚および肘の回りに軸線方向に分割されたＬ字状の後側の管状の導電性シールドを有している。さらに、各管状の導電性シールドは、第一の脚の先端を露出させて、各同軸導体の第一の脚の回りに円周方向に連続した前側の管状の導電性シールドを有している。円周方向に連続した各前側の管状の導電性のシールドは、軸線方向に分割された後側の管状の導電性シールドを共に保持するために軸線方向に分割された後側の管状の導電性シールドの近接端を包囲する端部を有している。
【考案の効果】
【０００９】
以上本考案によれば、各絶縁性導体が容易に個々にシールドされ、簡単なオーバモールド式の誘電性のハウジングによって装置がモジュール化される単純で効率的な略直角型の同軸ケーブル用電気コネクタが提供できる。
【考案を実施するための最良の形態】
【００１０】
図面について詳細に説明すると、まず図１には、参照符号１２で示される本発明による略直角型の同軸ケーブル用電気コネクタが示されている。略直角型の同軸ケーブル用電気コネクタ１２は、プリント回路基板に搭載可能な形状となっている。図１には、以下で説明する一対の略直角型の同軸導体を包囲する前側の管状の導電性シールド１４が示されている。前側の管状の導電性シールド１４は、一体のオーバモールド式のプラスチック製のハウジング１６から外向きに突出している。参照符号１８で示される接地クリップは、二つの管状の導電性シールド１４を包囲する本体部２０と、プリント回路基板の孔内に挿入されて半田付けによって基板および／または孔の接地回路に電気接続されるテール部２２を有している。また、プリント回路基板の適当な孔内に挿入するために、（以下で説明する）付加的な対の接地クリップ６０の複数のテール部２４がオーバモールド式のハウジング１６から下向きに突出している。
【００１１】
図１以外の図面には、略直角型の同軸ケーブル用電気コネクタ１２を製造する連続工程図が示されている。従って、本発明による同軸ケーブル用電気コネクタ１２の製造方法は、連続工程図に基づいて説明する以下の記載により明らかとなるであろう。
【００１２】
これを承知の上で、図２には、同軸ケーブル用電気コネクタ１２の一対の同軸導体のそれぞれの回りに一体のＬ字状の誘電性シース２６をオーバモールドする第一の製造工程が示されている。図２について説明する前に図７について説明する。図７には、参照符号２８で示される内側の同軸導体と、参照符号３０で示される外側の同軸導体で構成される一対の略直角型の同軸導体２８、３０が完全な長さで示されている。各同軸導体２８、３０は、それぞれが直角の肘３６で接合されている第一および第二の脚３２および３４を有している。第一の脚３２は、誘電性シース２６の外側に露出した先端３２ａを有している。第二の脚３４は、誘電性シース２６の外側に露出した先端３４ａを有している。第一の脚３２の先端３２ａは、矢印「Ａ」（図７）の方向に挿入される部分を有する適当な相手方接続装置の雌型コンタクトへの接続のために、同軸ケーブル用電気コネクタ１２における前側の管状の導電性シールド１４内に配置されている。第二の脚３４の先端３４ａは、以下で説明するように、プリント回路基板上の適当な回路配線への取り付けのために設けられている。
【００１３】
図２に示したように、誘電性シース２６を同軸導体２８、３０にオーバモールドした後に、図３に示したように、同軸ケーブル用電気コネクタ１２における管状の導電性シールドの参照符号３８で示される一対の軸線方向に分割されたＬ字状の後側の管状の導電性シールドが誘電性シース２６の回りに配置される。各後側の管状の導電性シールド３８はそれぞれ、参照符号４０で軸線方向に分割されており、図３に示した後側の管状の導電性シールド３８のＬ字状により明らかなように、略直角型の同軸導体２８、３０の第二の脚３４および肘３６（図７）を包囲するとともに、同軸導体２８、３０の第一の脚３２のかなりの部分を包囲するために共に接合される二つのＬ字状の半管状部分を規定している。後側の管状の導電性シールド３８は、その前向きの上端部に小径部を成す近接端４２を有していることが分かる。小径部を成す近接端４２はリング状ショルダ４４を形成している。
【００１４】
図４には次の工程が示されており、前側の管状の導電性シールド１４の後側の端部４６が接地クリップ１８の本体部２０の孔４８を貫通して挿入されている。各前側の管状の導電性シールド１４は、接地クリップ１８が当接する外向きに突出する円形状フランジ５０を有している。なお、前側の管状の導電性シールド１４は、後側の管状の導電性シールド３８の軸線方向に分割された構造に対して、円周方向に連続した円筒形状である。
【００１５】
図５には、図４のサブアセンブリの後側に挿入された図３のサブアセンブリが示されている。換言すれば、後側の管状の導電性シールド３８の小径部を成す近接端４２が、前側の管状の導電性シールド１４の後側の端部４６内に挿入されている。図５の組立時に、前側の管状の導電性シールド１４の円周方向に連続した形状により、軸線方向に分割された後側の管状の導電性シールド３８がともに保持される。
【００１６】
装置の変形例として、誘電性シース２６を包囲し、接地クリップ１８等で共に保持される一対の軸線方向に分割されたＬ字状の管状の導電性シールドを有する構成とすることができる。
【００１７】
図６および７には、参照符号６０で示される二つの付加的な接地クリップが示されており、接地クリップ６０は図１に関連して説明したテール部２４を有している。テール部２４は、各接地クリップ６０においてリング状取付部６２から下向きに突出している。図７に示したように、各接地クリップ６０のリング状取付部６２は、各後側の管状の導電性シールド３８の小径部６４を包囲している。例えば、プレス嵌めによって小径部６４上にリング状取付部６２を保持することができる。
【００１８】
図を簡単にするために、図６および７は接地クリップ１８（図４および５）を取り除いて示されている。なお、接地クリップ１８および接地クリップ６０は、図８に示したように使用することができる。全ての接地クリップ１８、６０を利用することによって重複した接地装置が設けられ、接地クリップ１８によって包囲される前側の管状の導電性シールド１４と接地クリップ６０によって包囲される後側の管状の導電性シールド３８で構成される各同軸導体２８、３０の管状の導電性シールド１４、３８の全体において確実に良好な接地が行われる。
【００１９】
図９には接地クリップ６０の変形例が示されており、図９では接地クリップは参照符号６０Ａで示されている。変形例による接地クリップ６０Ａは、一本のみのテール部２４を有している。一対の逆Ｕ字状ラッチ６６が、各接地クリップ６０Ａの両側から上向きに突出している。一対の逆Ｕ字状ラッチ６６は、後側の管状の導電性シールド３８の両側に形成された傾斜したラッチボス６８上にスナップ係合する。
【００２０】
図１０には、さらにもう一つの実施例による接地クリップ６０Ｂが示されている。接地クリップ６０Ｂは逆Ｕ字状本体部７０を有しており、逆Ｕ字状本体部７０は、後側の管状の導電性シールド３８と一体に形成され後側の管状の導電性シールド３８から外向きに突出する一対の取付ブリッジ７２上にスナップ係合される。接地クリップ６０Ｂは、プリント回路基板上の適当な接地回路配線に取り付けられる一対のテール部２４を有している。
【００２１】
図９および１０には、同軸導体２８、３０（図７）をプリント回路基板上の適当な回路配線に容易に取り付ける工程が示されている。詳細に説明すると、図７には、同軸導体２８および３０の第二の脚３４の先端３４ａの直径が小さくなっていることが示されている。図９および１０には、同軸導体２８、３０の第二の脚３４の先端３４ａの上にプレス嵌めされる一対の既製の（円筒状）半田栓７４が示されている。これらの既製の半田栓７４により、表面取り付け工程によるプリント回路基板上の回路配線への同軸導体２８、３０の確実な接続が容易となる。無論、本発明において、プリント回路基板の適当な孔内への挿入と、半田付けによる基板および／または孔の回路配線への接続が可能なテール部を構成するように、略直角型の同軸導体２８、３０の第二の脚３４がさらに延びている構成とすることができる。
【００２２】
図１１には、誘電性のハウジング１６を図８（または図９または１０）のサブアセンブリの上にオーバモールドして、図１に関連して最初に説明した完全に成形された同軸ケーブル用電気コネクタ１２を形成する最終工程が示されている。接地クリップ６０のテール部２４がハウジング１６から突出でき、既製の半田栓７４がプリント回路基板上の回路配線に半田付け可能なように露出されるように、参照符号７６でハウジング１６の底部を開口させて、ハウジング１６が適当な成形用金型でオーバモールドされる。ハウジング１６の底部は、同軸ケーブル用電気コネクタ１２をプリント回路基板上に配置する取付面を規定する部分７８を有している。
【００２３】
上述した同軸ケーブル用電気コネクタ１２を形成するために、個々の同軸導体をオーバモールドする必要はない。必要ならば、接地クリップ１８によって個々の同軸導体を共に保持する構成とすることができるか、または同軸導体を個々にハウジングの収容部内に挿入する構成とすることができる。
【図面の簡単な説明】
【００２４】
【図１】本考案による略直角型の同軸ケーブル用電気コネクタの斜視図である。
【図２】誘電性シースによって被覆された同軸ケーブル用電気コネクタにおける一対の略直角型の同軸導体の斜視図である。
【図３】同軸ケーブル用電気コネクタにおける軸線方向に分割された後側の管状の導電性シールドによって包囲された、図３の被覆された同軸導体の斜視図である。
【図４】接地クリップに組み込まれた前側の管状の導電性シールドを示す、部分的に切断された斜視図である。
【図５】図３および４の組み立てられたサブアセンブリを示す斜視図である。
【図６】図５の接地クリップが取り除かれ、一対の軸線方向の接地クリップが取り付けられた図５と同様の斜視図である。
【図７】図６と同様の図であるが、内側の同軸導体用の接地クリップが取り外された横断面である。
【図８】図５および６の両方に接地クリップを取り付けて示す斜視図である。
【図９】サブアセンブリの底面の方を見た図８と同様の斜視図であり、後側の接地クリップの変形形状を示す図である。
【図１０】図９と同様の図であり、後側の接地クリップのさらにもう一つの変形例を示す図である。
【図１１】図１と同様の完全に形成された略直角型の同軸ケーブル用コネクタの斜視図であるが、同軸ケーブル用電気コネクタの底面の方を見た図である。
【図１】
0003114071.tif 000003
【図２】
0003114071.tif 000004
【図３】
0003114071.tif 000005
【図４】
0003114071.tif 000006
【図５】
0003114071.tif 000007
【図６】
0003114071.tif 000008
【図７】
0003114071.tif 000009
【図８】
0003114071.tif 000010
【図９】
0003114071.tif 000011
【図１０】
0003114071.tif 000012
【図１１】
0003114071.tif 000013